(57)【特許請求の範囲】
【請求項１】
自動車に搭載されたオーディオ、ビデオ及びナビゲーション機能を提供するＡＶＮシステムと有線接続するためのインターフェイス部と、
前記インターフェイス部を介して前記自動車の走行情報を受信し、外部の無線端末から無線通信を介してミラーリングデータを受信する受信部と、
前記受信部が受信した走行情報に基づいて、前記自動車が走行中であるか否かを判断し、かつ前記ミラーリングデータが動画像データであるか非動画像データであるかを判断する判断部と、
前記判断部の判断の結果、（ｉ）前記自動車が走行中でない場合は、前記ミラーリングデータをそのまま出力し、（ｉｉ）前記自動車が走行中である場合は、前記ミラーリングデータが動画像データであるときは前記ミラーリングデータを出力せず、前記ミラーリングデータが非動画像データであるときに、前記ミラーリングデータを出力する制御部と、
前記制御部を介して出力される前記ミラーリングデータを前記インターフェイス部を介して前記ＡＶＮシステムに出力する出力部と、
を備えるミラーリングドングル。
【請求項２】
前記判断部は、前記ミラーリングデータを複数の領域に区分け、該複数の領域の中から選択した一部の領域のミラーリングデータを用いて前記ミラーリングデータが動画像データであるか非動画像データであるかを判断する、請求項１に記載のミラーリングドングル。
【請求項３】
前記判断部は、前記ミラーリングデータの単位時間の変化量を分析し、該変化量が所定の閾値より大きい場合に前記ミラーリングデータが動画像データであると判断する、請求項１または２に記載のミラーリングドングル。
【請求項４】
前記判断部は、前記ミラーリングデータを映像データと音声データに分離し、該映像データの単位時間の変化量を分析し、該変化量が所定の閾値より大きい場合に前記ミラーリングデータが動画像データであると判断する、請求項１または２に記載のミラーリングドングル。
【請求項５】
前記判断部は、前記ミラーリングデータを映像データと音声データに分離し、該映像データのイメージのエッジ検出を行い、検出されたエッジの単位時間の変化量を分析し、該変化量が所定の閾値より大きい場合に前記ミラーリングデータが動画像データであると判断する、請求項１または２に記載のミラーリングドングル。
【請求項６】
前記判断部は、前記ミラーリングデータを映像データと音声データに分離し、該映像データのカラーまたは明るさを検出し、検出されたカラーまたは明るさの単位時間の変化量を分析し、該変化量が所定の閾値より大きい場合に前記ミラーリングデータが動画像データであると判断する、請求項１または２に記載のミラーリングドングル。
【請求項７】
映像データをフィルタリングする映像フィルタをさらに備え、
前記制御部は、前記判断部の判断の結果、前記自動車が走行中であり、かつ前記ミラーリングデータが動画像データである場合、前記ミラーリングデータを映像データと音声データに分離し、前記映像フィルタを用いて前記映像データをフィルタリングし、前記音声データのみを出力する、請求項１または２に記載のミラーリングドングル。
【請求項８】
前記非動画像データは、ナビゲーションデータを含む、請求項１から７の何れか１項に記載のミラーリングドングル。
【請求項９】
自動車に搭載されたオーディオ、ビデオ及びナビゲーション機能を提供するＡＶＮシステムと有線接続するためのインターフェイス部を介して該自動車の走行情報を受信し、外部の無線端末から無線通信を介してミラーリングデータを受信する受信過程と、
前記走行情報に基づいて、前記自動車が走行中であるか否かを判断し、かつ前記ミラーリングデータが動画像データであるか非動画像データであるかを判断する判断過程と、
前記判断過程での判断の結果、（ｉ）前記自動車が走行中でない場合は、前記ミラーリングデータをそのまま出力し、（ｉｉ）前記自動車が走行中である場合は、前記ミラーリングデータが動画像データであるときは前記ミラーリングデータを出力せず、前記ミラーリングデータが非動画像データであるときに、前記ミラーリングデータを出力する制御過程と、
前記制御過程から出力される前記ミラーリングデータを前記インターフェイス部を介して前記ＡＶＮシステムに出力する出力過程と、
を備えるミラーリングデータ制御方法。
【請求項１０】
前記判断過程は、前記ミラーリングデータを複数の領域に区分け、該複数の領域の中から選択した一部の領域のミラーリングデータを用いて前記ミラーリングデータが動画像データであるか非動画像データであるかを判断する過程を含む、請求項９に記載のミラーリングデータ制御方法。
【請求項１１】
前記判断過程は、前記ミラーリングデータの単位時間の変化量を分析し、該変化量が所定の閾値より大きい場合に前記ミラーリングデータが動画像データであると判断する過程を含む、請求項９または１０に記載のミラーリングデータ制御方法。
【請求項１２】
前記判断過程は、前記ミラーリングデータを映像データと音声データに分離し、該映像データの単位時間の変化量を分析し、該変化量が所定の閾値より大きい場合に前記ミラーリングデータが動画像データであると判断する過程を含む、請求項９または１０に記載のミラーリングデータ制御方法。
【請求項１３】
前記判断過程は、前記ミラーリングデータを映像データと音声データに分離し、該映像データのイメージのエッジ検出を行い、検出されたエッジの単位時間の変化量を分析し、該変化量が所定の閾値より大きい場合に前記ミラーリングデータが動画像データであると判断する過程を含む、請求項９または１０に記載のミラーリングデータ制御方法。
【請求項１４】
前記判断過程は、前記ミラーリングデータを映像データと音声データに分離し、該映像データのカラーまたは明るさを検出し、検出されたカラーまたは明るさの単位時間の変化量を分析し、該変化量が所定の閾値より大きい場合に前記ミラーリングデータが動画像データであると判断する過程を含む、請求項９または１０に記載のミラーリングデータ制御方法。
【請求項１５】
前記制御過程は、前記判断過程での判断の結果、前記自動車が走行中であり、かつ前記ミラーリングデータが動画像データである場合、前記ミラーリングデータを映像データと音声データに分離し、映像フィルタを用いて前記映像データをフィルタリングし、前記音声データのみを出力する過程を含む、請求項９または１０に記載のミラーリングデータ制御方法。
【請求項１６】
前記非動画像データは、ナビゲーションデータを含む、請求項９から１５の何れか１項に記載のミラーリングデータ制御方法。
【発明の詳細な説明】
【技術分野】
【０００１】
本発明は、ミラーリングデータ分析機能を備えたミラーリングドングル（ＭＩＲＲＯＲＩＮＧ  ＤＯＮＧＬＥ）及びミラーリングデータ制御方法に関する。
【０００２】
より詳しくは、本発明は、無線端末から受信したミラーリングデータを分析し、特定条件下でミラーリングデータが動画像データでない場合にのみ、ミラーリングデータをそのままＡＶＮ（Ａｕｄｉｏ，Ｖｉｄｅｏ，Ｎａｖｉｇａｔｉｏｎ）システムに出力するミラーリングドングル及びミラーリングデータ制御方法に関する。本明細書におけるＡＶＮシステムは、オーディオ機能、ビデオ機能及びナビゲーション機能を提供する車載システムである。オーディオ機能は、音楽等のオーディオコンテンツを出力する機能である。ビデオ機能は、映画等のビデオコンテンツを出力する機能である。ナビゲーション機能は、カーナビのように、地図及び目的地までのルート等を表示する機能である。
【背景技術】
【０００３】
自動車に様々なマルチメディアコンテンツを再生することができるＡＶＮシステムが導入されることで、映画や放送などのような動画像を、自動車の中でも視聴することができるようになった。
【０００４】
このようなＡＶＮシステムでは、様々なマルチメディアコンテンツの再生だけではなく、ナビゲーション動作も行うことができる。最近は、ナビゲーション機能がＡＶＮシステムにおいての重要な機能の一つになっている。
【０００５】
自動車に備えられたＡＶＮシステムでナビゲーション機能を行う一方、最近はモバイル機器のナビゲーション機能を用いることもできる。モバイル機器の場合は、ナビゲーション機能のアップデートが速く、リアルタイムでの交通状況を反映した情報を提供してくれるので、場合によっては、もっと効率的である。
【０００６】
このようなメリットを活用するため、モバイル機器の動作を自動車のＡＶＮシステムでも同じように用いることができるミラーリングサービスを介してモバイル機器のナビゲーション機能がＡＶＮシステムで用いられるようになっている。なお、ミラーリングとは、モバイル機器等の端末に表示されたコンテンツを、他のシステムのディスプレイ装置に表示する処理である。
【０００７】
大韓民国公開特許公報第１０−２０１３−０１３１２０９号では、モバイル機器の機能を自動車で用いる装置について開示している。この装置を介して、モバイル機器で再生する動画像も自動車のＡＶＮシステムで視聴することができる。
【０００８】
しかし、運転中の動画像視聴は運転への集中力を低下させ、交通事故につながる主な原因の一つになる場合がある。このため、ほとんどの自動車メーカは、自動車の純正内臓ＡＶＮシステムでは、基本的に運転中には動画像の視聴ができないようにする、いわゆる「走行規制」を適用している。
【０００９】
このような走行規制なしにＡＶＮシステムでミラーリングサービスを行うと、モバイル機器で動作する動画像コンテンツがＡＶＮシステムでそのまま再生されるので、運転中の場合でもＡＶＮシステムで動画像の視聴が可能となり、安全運転に問題を起こす恐れがある。
【００１０】
ミラーリング機能を備えてないＡＶＮシステムでミラーリングサービスを行うために、ミラーリングドングル（ＭＩＲＲＯＲＩＮＧ  ＤＯＮＧＬＥ）という装置がある。これは、ＡＶＮシステムと有線で接続され、無線通信を介して外部の無線端末からのミラーリングデータを受信し、ＡＶＮシステムで外部の無線端末の機能を用いることができるようにする装置である。このようなミラーリングドングルを用いる場合、走行規制の方法として、無線端末とＡＶＮシステムの間に別途のブルートゥース（Ｂｌｕｅｔｏｏｔｈ（登録商標））接続を介して、ミラーリングサービス中のコンテンツが動画像であることを知らせる方法が用いられている。しかし、この場合、ブルートゥースを含め、ＡＶＮシステムのシステム資源を消耗することになる。
【先行技術文献】
【特許文献】
【００１１】
【特許文献１】大韓民国公開特許公報第１０−２０１３−０１３１２０９号
【発明の概要】
【発明が解決しようとする課題】
【００１２】
本発明が解決しようとする一つの技術的課題は、ミラーリングドングルでミラーリングデータを分析し、ミラーリングデータが動画像データの場合、自動車の運転中にはＡＶＮシステムへの動画像データの出力を遮断し、運転中の動画像視聴による集中力低下を防ぐことである。
【課題を解決するための手段】
【００１３】
前記技術的課題を解決するために、本発明の実施例に係るミラーリングドングルは、自動車に搭載されたオーディオ、ビデオ及びナビゲーション機能を提供するＡＶＮシステムと有線接続するためのインターフェイス部と、インターフェイス部を介して自動車の走行情報を受信し、外部の無線端末から無線通信を介してミラーリングデータを受信する受信部と、受信部が受信した走行情報に基づいて、自動車が走行中であるか否かを判断し、かつ受信したミラーリングデータが動画像データであるか非動画像データであるかを判断する判断部と、判断部の判断の結果、（ｉ）自動車が走行中でない場合は、ミラーリングデータをそのまま出力し、（ｉｉ）自動車が走行中である場合は、前記ミラーリングデータが動画像データであるときは前記ミラーリングデータを出力せず、ミラーリングデータが非動画像データであるときに、ミラーリングデータを出力する制御部と、制御部を介して出力されるミラーリングデータをインターフェイス部を介してＡＶＮシステムに出力する出力部と、を備える。
【００１４】
本発明の実施例において、判断部は、ミラーリングデータを複数の領域に区分け、複数の領域の中から選択した一部の領域のミラーリングデータを用いてミラーリングデータが動画像データであるか非動画像データであるかを判断する。
【００１５】
本発明の実施例において、判断部は、ミラーリングデータの単位時間の変化量を分析し、変化量が所定の閾値より大きい場合にミラーリングデータが動画像データであると判断する。
【００１６】
本発明の実施例において、判断部は、ミラーリングデータを映像データと音声データに分離し、映像データの単位時間の変化量を分析し、変化量が所定の閾値より大きい場合にミラーリングデータが動画像データであると判断する。
【００１７】
本発明の実施例において、判断部は、ミラーリングデータを映像データと音声データに分離し、映像データのイメージのエッジ検出を行い、検出されたエッジの単位時間の変化量を分析し、変化量が所定の閾値より大きい場合にミラーリングデータが動画像データであると判断する。
【００１８】
本発明の実施例において、判断部は、ミラーリングデータを映像データと音声データに分離し、映像データのカラーまたは明るさを検出し、検出されたカラーまたは明るさの単位時間の変化量を分析し、変化量が所定の閾値より大きい場合にミラーリングデータが動画像データであると判断する。
【００１９】
本発明の実施例において、ミラーリングドングルは、映像データをフィルタリングする映像フィルタをさらに備え、制御部は、判断部の判断の結果、自動車が走行中であり、かつミラーリングデータが動画像データである場合、ミラーリングデータを映像データと音声データに分離し、映像フィルタを用いて映像データをフィルタリングし、音声データのみを出力する。
【００２０】
本発明の実施例において、非動画像データは、ナビゲーションデータを含む。
【００２１】
本発明の実施例に係るミラーリングデータ制御方法は、自動車に搭載されたオーディオ、ビデオ及びナビゲーション機能を提供するＡＶＮシステムと有線接続するためのインターフェイス部を介して該自動車の走行情報を受信し、外部の無線端末から無線通信を介してミラーリングデータを受信する受信過程と、走行情報に基づいて、自動車が走行中であるか否かを判断し、かつミラーリングデータが動画像データであるか非動画像データであるかを判断する判断過程と、判断過程での判断の結果、（ｉ）自動車が走行中でない場合は、ミラーリングデータをそのまま出力し、（ｉｉ）自動車が走行中である場合は、前記ミラーリングデータが動画像データであるときは前記ミラーリングデータを出力せず、ミラーリングデータが非動画像データであるときに、ミラーリングデータを出力する制御過程と、制御過程から出力されるミラーリングデータをインターフェイス部を介してＡＶＮシステムに出力する出力過程と、を備える。
【００２２】
本発明の実施例において、判断過程は、ミラーリングデータを複数の領域に区分け、該複数の領域の中から選択した一部の領域のミラーリングデータを用いてミラーリングデータが動画像データであるか非動画像データであるかを判断する過程を含む。
【００２３】
本発明の実施例において、判断過程は、ミラーリングデータの単位時間の変化量を分析し、該変化量が所定の閾値より大きい場合にミラーリングデータが動画像データであると判断する過程を含む。
【００２４】
本発明の実施例において、判断過程は、ミラーリングデータを映像データと音声データに分離し、該映像データの単位時間の変化量を分析し、該変化量が所定の閾値より大きい場合にミラーリングデータが動画像データであると判断する過程を含む。
【００２５】
本発明の実施例において、判断過程は、ミラーリングデータを映像データと音声データに分離し、該映像データのイメージのエッジ検出を行い、検出されたエッジの単位時間の変化量を分析し、該変化量が所定の閾値より大きい場合にミラーリングデータが動画像データであると判断する過程を含む。
【００２６】
本発明の実施例において、判断過程は、ミラーリングデータを映像データと音声データに分離し、該映像データのカラーまたは明るさを検出し、検出されたカラーまたは明るさの単位時間の変化量を分析し、該変化量が所定の閾値より大きい場合にミラーリングデータが動画像データであると判断する過程を含む。
【００２７】
本発明の実施例において、制御過程は、判断過程での判断の結果、自動車が走行中であり、かつミラーリングデータが動画像データである場合、ミラーリングデータを映像データと音声データに分離し、映像フィルタを用いて映像データをフィルタリングし、音声データのみを出力する過程を含む。
【００２８】
本発明の実施例において、非動画像データは、ナビゲーションデータを含む。
【発明の効果】
【００２９】
本発明の実施例に係るミラーリングドングル及びミラーリングデータ制御方法によれば、モバイル機器のような外部の無線端末からのミラーリングサービスを自動車で用いる場合、運転中の動画像視聴を防止することができる。
【００３０】
本発明の実施例に係るミラーリングドングル及びミラーリングデータ制御方法によれば、ミラーリングサービスに運転規制を適用する場合、ミラーリングドングルでミラーリングデータの分析を行ってミラーリングデータが動画像であるか非動画像であるかを判断するので、ＡＶＮシステムのシステム資源を消耗することなくミラーリングサービスを行うことができる。
【図面の簡単な説明】
【００３１】
【図１】本発明の実施例に係るミラーリングドングルの動作を説明するための概略図である。
【図２】本発明の実施例に係るミラーリングドングルのブロック図である。
【図３】本発明の実施例に係るミラーリングドングルの判断部でミラーリングデータを分析する方法を説明するための概略図である。
【図４】本発明の実施例に係るミラーリングドングルの判断部で、ミラーリングデータを複数の領域に区分けて分析する方法を説明するための概略図である。
【図５】本発明の実施例に係るミラーリングドングルでミラーリングデータを分析する方法を示すフローチャートである。
【発明を実施するための形態】
【００３２】
以下では、添付の図面を参照して、本発明の実施例に係るミラーリングドングルについて詳しく説明する。
【００３３】
図１は、本発明の実施例に係るミラーリングドングル（１００）の動作を説明するための概略図である。
【００３４】
本発明の実施例に係るミラーリングドングル（１００）は、自動車のＡＶＮシステム（３００）に有線で接続され、無線端末（２００）からミラーリングデータを受信し、受信したミラーリングデータをＡＶＮシステム（３００）に出力する。より詳しくは、ミラーリングドングル（１００）は、ＡＶＮシステム（３００）から受信した自動車の走行情報と無線端末（２００）から受信したミラーリングデータを分析し、自動車が走行中であるか否かを判断し、ミラーリングデータが動画像データであるか非動画像データであるかを判断する。そして、自動車が走行中であると、ミラーリングドングル（１００）は、ミラーリングデータが非動画像データの場合にのみ、ミラーリングデータをそのままＡＶＮシステム（３００）に出力する。ＡＶＮシステム（３００）は、オーディオ、ビデオ、及びナビゲーション機能を備える、いわゆる「インフォテインメント（Ｉｎｆｏｔａｉｎｍｅｎｔ）システム」を意味し、無線端末（２００）は、スマートフォンのように端末のコンテンツをミラーリングデータとして送信（ミラーキャスト）できる無線機器を意味する。非動画像データは、ナビゲーションデータ、マップ（Ｍａｐ）データ、イメージデータ、音声データなどを意味する。
【００３５】
即ち、本発明の実施例に係るミラーリングドングル（１００）は、ミラーリングサービスの際に、自動車が走行中の場合は、無線端末（２００）で再生する動画像コンテンツがＡＶＮシステム（３００）にそのままミラーリングされることを防止する。この場合、ミラーリングドングル（１００）は、ミラーリングデータが非動画像データである場合にのみ、ミラーリングデータがそのままＡＶＮシステム（３００）にミラーリングされるように制御する。
【００３６】
図２は、本発明の実施例に係るミラーリングドングル（１００）のブロック図である。
【００３７】
本発明の実施例に係るミラーリングドングル（１００）は、受信部（１１０）、判断部（１２０）、制御部（１３０）、及び出力部（１４０）を含む。本発明の実施例において、ミラーリングドングル（１００）は、ＣＰＵ（Ｃｅｎｔｒａｌ  Ｐｒｏｃｅｓｓｉｎｇ  Ｕｎｉｔ）のようなプロセッサ（不図示）を備え、受信部（１１０）、判断部（１２０）、制御部（１３０）、及び出力部（１４０）は、プロセッサの中での機能モジュールをして具現することができる。
【００３８】
受信部（１１０）は、無線端末（２００）からミラーリングデータを受信する。受信部（１１０）は、ブルートゥース、ＵＷＢ（Ｕｌｔｒａ  Ｗｉｄｅｂａｎｄ）、ＷｉＦｉの中で少なくとも一つの通信方式を用いて無線端末（２００）からミラーリングデータを受信することができる。このため、受信部（１１０）は、ブルートゥース通信モジュール（不図示）、ＵＷＢ通信モジュール（不図示）、及びＷｉＦｉ通信モジュール（不図示）等を、使用する通信方式によって備える。
【００３９】
判断部（１２０）は、受信したミラーリングデータを分析し、ミラーリングデータが動画像データであるか、非動画像データであるかを判断する。判断部（１２０）は、受信したミラーリングデータの単位時間の変化量を検出し、検出した変化量を基に、ミラーリングデータが動画像データであるが、非動画像データであるかを判断する。
【００４０】
判断部（１２０）は、ミラーリングデータの単位時間のデータの変化量が大きい場合、即ち、現在のデータ量と以前のデータ量との差が大きい場合、ミラーリングデータが動画像データであると判断する。動画像データの場合、映像の変化が大きいので、ミラーリングデータを分析し、以前のデータと現在のデータを比較することで、データの一致率に大きく差がある場合は、映像の変化が大きい動画像データであると判断することができる。
【００４１】
例えば、ミラーリングデータの単位時間の一致率が所定の閾値より大きい（あるいは変化率が所定の閾値より小さい）場合は、非動画像データであると判断することができる。本発明の実施例では、ミラーリングデータの単位時間の一致率が７０％より小さい場合（変化率が３０％より大きい場合）、ミラーリングデータが動画像データであると判断し、単位時間の一致率が７０％より大きい場合（変化率が３０％より小さい場合）、ミラーリングデータが非動画像データであると判断する。
【００４２】
以下、判断部（１２０）でミラーリングデータを分析する方法について、図３と図４を参照し、より詳しく説明する。
【００４３】
判断部（１２０）で無線端末（２００）から受信したミラーリングデータを分析した結果、ミラーリングデータが非動画像データである場合は、制御部（１３０）は、ミラーリングデータを出力部（１４０）を介してＡＶＮシステム（３００）にそのまま出力するように制御し、ミラーリングデータが動画像データである場合は、自動車の走行状況によって、動画像データから映像データに該当する部分は出力部（１４０）を介して出力しないように制御する。
【００４４】
即ち、制御部（１３０）は、自動車が走行中であり、かつミラーリングデータが動画像データである場合は、映像データをフィルタリングする映像フィルタ（不図示）を用いて動画像データから映像データに該当する部分をフィルタリングし、音声データに該当する部分のみを出力部（１４０）を介して出力するように制御する。このため、判断部（１２０）は、ミラーリングデータを映像データと音声データに分離する。
【００４５】
本発明の実施例に係るミラーリングドングル（１００）は、有線で接続されているＡＶＮシステム（３００）から自動車の走行情報を受信し、受信した走行情報を基に自動車が走行中であるか否かを判断する。自動車が走行中である場合、ミラーリングドングル（１００）は、ミラーリングデータが動画像データであるか非動画像データであるかをさらに判断する。そして、ミラーリングドングル（１００）は、ミラーリングデータが非動画像データである場合にのみ、ミラーリングデータをそのまま出力し、動画像データである場合は、映像データをフィルタリングし、音声データのみを出力する。
【００４６】
本発明の実施例において、制御部（１３０）は、自動車が走行中でない場合、判断部（１２０）が動作しないように制御し、無線端末（２００）から受信するミラーリングデータをそのまま出力部（１４０）を介して出力するように制御することもできる。
【００４７】
出力部（１４０）は、自動車のＡＶＮシステム（３００）と接続され、出力部（１４０）を介して出力されるデータは、ＡＶＮシステム（３００）のディスプレイに表示される。
【００４８】
本発明の実施例において、出力部（１４０）は、有線通信モジュールを備え、有線通信を介してＡＶＮシステム（３００）と接続される。しかし、本発明はこれに限定されず、出力部（１４０）が無線通信モジュールを備え、無線通信を介してＡＶＮシステム（３００）と接続されても良い。
【００４９】
図３は、本発明の実施例に係るミラーリングドングル（１００）の判断部（１２０）でミラーリングデータを分析する方法を説明するための概略図である。
【００５０】
判断部（１２０）は、無線端末（２００）から受信したミラーリングデータを所定の時間ごとにメモリー（不図示）に格納し、以前のデータと現在のデータを比較し、その一致率（または変化量）を算出する。
【００５１】
例えば、判断部（１２０）は、第１のデータ（現在のデータ）（ｎ）と第２のデータ（以前のデータ）（ｎ−１）とを比較し、それらの一致率（または変化量）を算出する。
【００５２】
イメージデータまたはナビゲーションデータのような非動画像データの場合は、映像の変化がほとんどないか、変化があってもそれほど大きくないので、時間に伴うデータの変化が少ない。一方、動画像データの場合は、映像の変化（明るさ、特定のイメージのエッジ、カラーなどの変化）が大きいので、時間に伴うデータの変化により、一致率が小さくなる（即ち、データの変化量が大きくなる）。
【００５３】
従って、判断部（１２０）は、第１のデータ（ｎ）と第２のデータ（ｎ−１）を比較した結果、両方のデータの一致率が小さい場合（変化量が大きい場合）、分析したミラーリングデータが動画像データであると判断する。
【００５４】
ここで、動画像データであっても、静止画面の場合は、時間に伴うデータの変化量が実質的にないので、例えば、現在のデータ、以前のデータ、及びその以前のデータのように時間的に異なる３つのデータを比較することもできる。
【００５５】
即ち、第１のデータ（ｎ）、第２のデータ（ｎ−１）、及び第３のデータ（ｎ-２）の３つのデータを比較し、データの一致率が小さい場合（変化量が大きい場合）、ミラーリングデータが動画像データであると判断することができる。
【００５６】
ここで、互いに近接した時間のデータである場合は、データの一致率（または変化率）をより正確に判断するため、３つのデータの時間間隔をそれぞれ異なるように設定することができる。例えば、第１のデータ（ｎ）と第２のデータ（ｎ−１）の間の時間間隔を０．１秒に設定すると、第２のデータ（ｎ−１）と第３のデータ（ｎ-２）の間の時間間隔を１秒程度に設定することができる。このように、それぞれのデータ間の時間間隔をそれぞれ異なる第１時間と第２時間のように設定することで、それぞれのデータの一致率の差を用いて、より正確な判断を行うことができる。
【００５７】
一方、上記の時間間隔が大きすぎると、たとえ動画像データではない場合でも、それぞれの時間間隔に該当する一致率に大きく差が出る恐れがあるので、例えば、ナビゲーションデータを考えると、それぞれの時間間隔に該当するナビゲーションデータが類似なデータを有する時間範囲以内に、上記の時間間隔を設定する。
【００５８】
従って、上記の時間間隔は、動画像データの場合は一致率が小さくなり、非動画像データ（例えば、ナビゲーションデータ）の場合は一致率が大きくなる時間間隔に設定する。
【００５９】
図４は、本発明の実施例に係るミラーリングドングル（１００）の判断部（１２０）で、ミラーリングデータを複数の領域に区分けて分析する方法を説明するための概略図である。
【００６０】
図３の例では、ミラーリングデータを時間別に区分けし、該当する時間の全データを異なる時間の全データと比較し、一致率を判断した。しかし、データの比較に全データを用いると、データの分析に時間がかかる場合がある。
【００６１】
従って、ミラーリングデータを複数の領域に区分け、複数の領域の中から一部の領域を選択し、選択した領域に該当するデータのみを時間別に比較し、その一致率を判断することもできる。
【００６２】
図４に示す例では、全データをＡ、Ｂ、Ｃ、Ｄの４つの領域に区分け、その中からＡとＤの２つの領域を選択し、選択した領域に該当するデータのみを時間別に比較し、その一致率を判断している。
【００６３】
このようにミラーリングデータを複数の領域に区分け、区分けされた複数の領域から一部の領域を選択し、選択した領域に該当するデータのみを比較することで、より速くデータを分析し、判断することができる。
【００６４】
本発明の実施例において、単位時間の変化量は、ミラーリングデータの映像データと音声データを分離して得られる映像データの明るさ、イメージのエッジ、カラー等を含む。
【００６５】
図５は、本発明の実施例に係るミラーリングドングル（１００）でミラーリングデータを分析する方法を示すフローチャートである。
【００６６】
ステップＳ１００で、受信部（１１０）は、無線通信を介して無線端末（２００）からミラーリングデータを受信する。
【００６７】
ステップＳ１１０で、判断部（１２０）は、受信したミラーリングデータを分析する。
【００６８】
ここで、ミラーリングデータを分析する方法は、図３及び図４で説明した方法を用いる。
【００６９】
ステップＳ１１０でミラーリングデータを分析する前に、ＡＶＮシステム（３００）から自動車の走行情報を受信し、受信した走行情報を基に、自動車が走行中であるか否かを判断することができる。判断の結果、自動車が走行中である場合、ステップＳ１１０でミラーリングデータを分析する。
【００７０】
ステップＳ１２０で、判断部（１２０）は、ステップＳ１１０での分析結果を基に、ミラーリングデータが動画像データであるか、非動画像データであるかを判断する。
【００７１】
ステップＳ１２０での判断がＮＯの場合、即ち、ミラーリングデータが動画像データではない場合、無線端末（２００）から受信したミラーリングデータを出力部（１４０）介してそのまま出力する（ステップＳ１３０）。
【００７２】
ステップＳ１２０での判断がＹＥＳの場合、即ち、ミラーリングデータが動画像データである場合、無線端末（２００）から受信したミラーリングデータから映像データをフィルタリングし、音声データのみを出力部（１４０）介して出力する。
【００７３】
以上のように、本発明の実施例に係るミラーリングドングル（１００）及びミラーリングデータ制御方法によれば、モバイル機器のような外部の無線端末（２００）からのミラーリングサービスを自動車のＡＶＮシステム（３００）で用いる場合、運転中の動画像視聴を防止することができる。
【００７４】
さらに、本発明の実施例に係るミラーリングドングル（１００）及びミラーリングデータ制御方法によれば、ミラーリングサービスに運転規制を適用する場合、ミラーリングドングル（１００）でミラーリングデータの分析を行ってミラーリングデータが動画像であるか非動画像であるかを判断するので、ＡＶＮシステム（３００）のシステム資源を消耗することなくミラーリングサービスを行うことができる。
【００７５】
以上において本発明の実施例について詳しく説明したが、本発明は上述した特徴の実施例に限定されず、次の請求の範囲において請求する本発明の要旨を逸脱することなく本発明の属する技術分野における通常の知識を有する者であれば何人も種々の変形実施が可能であることは勿論であり、そのような変形は請求の範囲の記載の範囲内にある。
【符号の説明】
【００７６】
１００：ミラーリングドングル
１１０：受信部
１２０：判断部
１３０：制御部
１４０：出力部
２００：無線端末
３００：ＡＶＮシステム
【要約】
【課題】運転中の動画像視聴による集中力低下を防ぐ。
【解決手段】
ミラーリングドングル、自動車に搭載されたＡＶＮ装置と有線接続するためのインターフェイス部と、インターフェイス部を介して自動車の走行情報を受信し、外部の無線端末から無線通信を介してミラーリングデータを受信する受信部と、受信部が受信した走行情報とミラーリングデータから、自動車が走行中であるか否かを判断し、ミラーリングデータが動画像データであるか非動画像データであるかを判断する判断部と、判断部の判断の結果、（ｉ）自動車が走行中でない場合は、ミラーリングデータをそのまま出力し、（ｉｉ）自動車が走行中である場合は、前記ミラーリングデータが非動画像データである場合にのみ、ミラーリングデータをそのまま出力する制御部と、制御部を介して出力されるミラーリングデータをインターフェイス部を介してＡＶＮシステムに出力する出力部と、を備える。
【選択図】図１【図２】
0005706598.tif 000002
【図３】
0005706598.tif 000003
【図１】
0005706598.tif 000004
【図４】
0005706598.tif 000005
【図５】
0005706598.tif 000006